(57)【要約】【課題】放送受信装置において、正常な出力が可能でないような放送局を排除して、正常な出力が可能な放送局を効率よくオートプリセットすることを目的とする。【解決手段】放送受信装置が受信可能とする放送局のうち、正常出力が行なえない放送局の周波数情報を記憶しないよう、プリセットを無効化する。そして、正常な出力が行なえない放送局を選局しないようにしたり、プリセットされた後に周波数情報を削除する等してプリセットは無効化され、正常な放送が可能な放送局についてのみプリセットが行なわれる。これにより、効率のよいオートプリセットが可能となる。【選択図】        図３
2004312563.tif 000002
【特許請求の範囲】
【請求項１】
受信装置が受信する周波数での受信情報に基づき受信可能な放送局を検出し、検出した前記放送局の周波数情報を自動的に記憶するプリセット手段を備える自動選局装置において、
前記受信装置が検出した前記放送局の周波数情報のうち、正常な出力が行なえないと判定される放送局の周波数情報を前記プリセット手段が記憶するのを無効とする無効手段を備えることを特徴とする自動選局装置。
【請求項２】
受信装置が受信する周波数での受信情報に基づき受信可能な放送局を検出し、検出した前記放送局の周波数情報を自動的に記憶するプリセット手段を備える自動選局装置において、
前記受信装置が検出した前記放送局の周波数情報のうち、正常な出力が行なえないと判定される放送局の周波数情報を前記プリセット手段が記憶するのを無効と判断する判断手段を備え、
前記判断手段の結果に基づき、前記プリセット手段に記憶される前記周波数情報が適宜決定されることを特徴とする自動選局装置。
【請求項３】
前記放送局に関する放送局情報を記憶する記憶手段を備え、前記記憶手段に記憶された放送局情報を用いて前記正常な出力が行なえない放送局の周波数情報を判定することを特徴とする請求項１又は２に記載の自動選局装置。
【請求項４】
前記受信装置の現在位置を検出する位置検出手段を備え、
前記記憶手段が記憶する前記放送局情報と前記位置検出手段より検出した前記現在位置を用いて前記現在位置での前記正常な出力が行なえないと判定できる放送局を選定し、当該選定した放送局の周波数情報を前記正常な出力が行なえない放送局の周波数情報と判定することを特徴とする請求項３に記載の自動選局装置。
【請求項５】
受信した周波数情報のうち、所定の放送局の周波数情報を選定する機能を有する第二受信装置を備え、
前記第二受信装置より選定された前記周波数情報を、前記正常な出力が行なえないと判定される前記放送局の周波数情報とすることを特徴とする請求項１又は２に記載の自動選局装置。
【請求項６】
前記プリセット手段に記憶された周波数情報から前記正常な出力が行なえないと判定された放送局の周波数情報を削除することを特徴とする請求項１乃至５の何れか１つに記載の自動選局装置。
【請求項７】
受信装置が受信する周波数での受信情報に基づき受信可能な放送局を検出し、検出した前記放送局の周波数情報を自動的に記憶するプリセット手段を備える自動選局装置において、
前記受信装置が検出した前記放送局の周波数情報のうち、正常な出力が行なえないと判定される放送局の周波数情報を除く周波数情報を前記プリセット手段の記憶対象として選局する選局手段を備えることを特徴とする自動選局装置。
【請求項８】
前記正常な出力が行なえないと判定される放送局はデジタル放送局であることを特徴とする請求項１乃至７の何れか１つに記載の自動選局装置。
【発明の詳細な説明】
【０００１】
【発明の属する技術分野】
本発明は、移動体用放送受信装置の自動選局装置に関し、特に、正常な出力が可能な放送局を自動で選局する自動選局装置に関する。
【０００２】
【従来技術】
近年、インターネットやコンピュータ等のデジタル技術の発展に伴い、高度高機能なマルチメディア放送の実現がデジタル放送により可能となっている。デジタル放送は、映像や音声等のデータを符号化し、圧縮した信号を搬送波に載せて発信されるものであり、データ補正が可能であるため、移動体による放送の受信も可能である。また、現在のアナログテレビ放送では、放送用周波数を６ＭＨｚの幅で区切って１チャンネルとし、１チャンネルを１つの放送局に割り当てているが、デジタル放送では、直交周波数分割多重変調方式（以下ＯＦＤＭと略す）によってマルチパスによる雑音の除去や６ＭＨｚの幅で複数のチャンネル（多チャンネル）放送や高精細なハイビジョン放送が放送可能であるため、周波数帯域を有効利用することができる。
【０００３】
デジタル放送の放送波は、データ変換方法の違いやＯＦＤＭにより、アナログ放送の放送波とは異なっている。例えば、図１（ａ）に示すようなテレビのアナログ放送波１は、映像搬送波１１、色副搬送波１２、音声搬送波１３を含み、情報別の搬送波に夫々の情報を載せて発信している。一方、デジタル放送波は、図１（ｂ）に示すように情報を多数の搬送波に載せて発信する。そして、地上デジタル放送が開始されると、デジタル放送局のチャンネル又は周波数は、放送に使用できる周波数の空いている周波数に配置されるため、放送用周波数にはアナログ放送とデジタル放送が混在することとなる。
【０００４】
従来の移動体用アナログ放送受信装置には、移動によって放送エリアが変更されたり、障害物により放送波が遮断されたりした場合に、自動で受信可能な放送局のチャンネル又は周波数を各操作スイッチ（以下プリセットスイッチと呼ぶ）に対応させて記憶する機能（以下オートプリセットと呼ぶ）が備わっている。一般にオートプリセットは、チャンネル又は周波数を掃引し、放送局を検出する都度、その放送局の周波数情報をプリセットスイッチに対応させて記憶する処理（以下プリセットと呼ぶ）を自動で繰り返す。ここで、放送局の有無は、各チャンネル又は周波数において、例えばアナログ放送波１（図１（ａ））に含まれる音声搬送波信号１３の受信レベルが設定されたしきい値を超えているか否かによって判定する。この判定によれば、デジタル放送波２（図１（ｂ））を受信した際にも、放送局有りと判定する場合があり、アナログ放送受信装置ではオートプリセット時に、アナログやデジタルに関係なく受信可能な放送局を自動でプリセットしてしまう。
【０００５】
ところが、アナログ放送受信装置は、デジタル放送を受信しても、その放送波やデータ変換方法の違いから正常な出力を行なうことができない。そして、図２のように、アナログ放送受信装置が、アナログ放送局３１を中心とするアナログ放送エリア３２とデジタル放送局４１を中心とするデジタル放送エリア４２の重複する地点（例えば地点４３）でオートプリセットを行なうと、デジタル放送を正常に出力できないのにもかかわらず、デジタル放送局を放送局有りと判定した場合は、プリセットしてしまう（以下、誤プリセットと呼ぶ）。そして、誤プリセットにより、正常な出力が行なえない放送局がプリセットされるため、オートプリセットの際に正常な出力が可能な放送局の設定数が限られてしまう可能性があった。
【０００６】
ところで、受信可能な放送局から不所望な放送局を自動選局しないようにするオートプリセット装置がある（例えば、特許文献１参照。）。
【０００７】
【特許文献１】
特開平６−３０３１０８号公報（［００１８］、図１）。
【０００８】
【発明が解決しようとする課題】
上記特許文献１のオートプリセット装置は、正常な出力が可能な放送局のうち、専用のスイッチが設定されている交通情報放送局やプリセットの必要のない大陸放送局等をオートプリセットしないようにしたものである。従って、交通情報放送局及び大陸放送局をオートプリセットから排除することは可能だが、それ以外の受信可能な放送局はオートプリセットされてしまう。こうした場合、例えば、アナログ受信装置におけるデジタル放送局の誤プリセットの問題は依然として解消されない。
【０００９】
本発明は上記問題点に鑑みたもので、放送受信装置において、正常な出力が可能でないような放送局を排除して、正常な出力が可能な放送局を効率よくオートプリセットする自動選局装置を提供することを目的とする。
【００１０】
【課題を解決するための手段】
受信装置が受信した周波数での受信情報に基づき受信可能な放送局を検出し、検出した放送局の周波数情報をプリセット手段によって自動的に記憶するような自動選局装置における本発明は、上記目的を達成するために、以下の特徴を有するものである。
【００１１】
まず、請求項１に記載の発明では、受信装置が検出した放送局の周波数情報のうち、正常な出力ができないと判定される放送局の周波数情報は、無効手段によってプリセット手段が周波数情報を記憶するのを無効とすることを特徴とする。
ここでいう「記憶するのを無効とする」とは、プリセット手段が記憶する以前に記憶させないようにするもの、又はプリセット手段が一旦記憶したものから削除するもの（後述の請求項６に相当）の両方の構成が相当する。
【００１２】
これにより、受信可能な放送局のうち、正常な出力が可能な放送局の周波数情報は、プリセット手段によって記憶される。しかしながら、正常出力が不可能な放送局については、プリセット手段が無効となり、周波数情報は記憶されない。
したがって、正常出力が行なえない放送局の周波数情報を記憶してしまうという無駄を省くことにより、効率のよいオートプリセットが可能となる。
【００１３】
また、請求項２に記載の発明は、受信装置が検出した受信可能な放送局の周波数情報のうち、正常出力が不可能と判定される放送局の周波数情報においては、プリセット手段が記憶するのを無効であると判断手段によって判断し、その判断結果に基づいて、プリセット手段によって記憶する周波数情報が適宜決められることを特徴とする。尚、ここで言う「記憶するのを無効である」との判断は、プリセット手段が記憶する以前の周波数情報、又はプリセット手段が一旦記憶した周波数情報の両方に対して判断されることを意味する。よって、正常出力が不可能と判断された放送局の周波数情報は最終的にプリセット手段によって記憶しないように決定され、正常出力が可能と判断された放送局の周波数情報のみが、最終的にプリセット手段によって記憶するよう決定される。そして、正常出力が行なえないと判定された放送局の周波数情報を記憶してしまうという無駄を省くことができ、効率のよいオートプリセットが可能となる。
【００１４】
また、請求項３に記載の発明は請求項１に記載の発明において、放送局に関する放送局情報を記憶手段に記憶しており、その情報を用いて正常な出力が行える放送局の周波数情報か否かを判定することを特徴とする。ここで、記憶する放送局情報は、本発明ではデジタル放送局に係る情報（図４に示すようなチャンネル、出力、情報発信源の位置を特定できる情報）であることが好ましい。つまり、予め正常な出力が不可能な放送局に関する放送局情報を記憶していれば、その放送局の周波数情報が取得可能となり、プリセット手段の無効化が容易となる。
【００１５】
そして、請求項４に記載の発明においては、位置検出手段で受信装置の現在位置を検出し、位置検出手段からの現在位置情報と記憶手段からの放送局情報を用いて、現在位置で受信してしまう正常な出力が行なえないと判定される放送局を選定する。そして、選定された放送局の周波数情報を正常な出力が行なえないと判定される放送局の周波数情報とすることを特徴とする。これにより、記憶手段に記憶される放送局情報と、現在位置で受信可能な放送局を抽出することによって、正常な出力が行なえない放送局の周波数情報が取得でき、効率よく正常出力可能な放送局に対するオートプリセットを行なうことが可能となる。
【００１６】
請求項５に記載の発明では、受信する周波数情報から特定の放送局の周波数情報を選定する機能を有する第二受信装置を備え、正常な出力が行なえないと判定される放送局の周波数情報は、第二受信装置によって選定されるものであることを特徴とする。従って、記憶手段を有していなくても、第二受信装置より正常な出力が行なえないと判定できる放送局の周波数情報を取得でき、プリセットから除外することができる。そして、出力が行なえない放送局を除外してオートプリセットを行なうことが可能となる。
【００１７】
また、請求項６に記載の発明において、正常な出力を行なえないと判定された放送局の周波数情報をプリセット手段で記憶した周波数情報から削除することが特徴である。つまり、無効手段は不要な周波数情報を削除することでプリセット手段の無効化を行ない、又、判断手段によって無効と判断された周波数情報を削除する。従って、正常な出力が不可能な放送局に該当する放送局の周波数情報は記憶内容から削除され、オートプリセットでは、最終的に正常な出力が可能な放送局の周波数情報のみが記憶される。
【００１８】
更に、請求項７に記載の発明では、受信装置が検出した放送局の周波数情報のうち、正常な出力が行なえないと判定された周波数情報を除いた周波数情報を、選局手段によってプリセット手段の記憶対象となるよう選局することを特徴とする。つまり、正常な出力が行なえないと判定された放送局の周波数情報から得られる周波数（チャンネル）は受信装置によって受信されないよう処理されるため、効率よくオートプリセットが行なえる。無論、正常出力不可能と判定された放送局の周波数情報はプリセットもできないため、正常な出力が可能と判定された放送局の周波数情報のみがプリセット手段によって記憶することができる。
【００１９】
【発明の実施の形態】
（第一実施形態）
図３は本発明を車載用アナログテレビ放送の受信装置に適応した一実施の形態の構成を示す構成図である。アナログテレビ放送を受信するアナログＴＶ受信装置５０は、アンテナ５１、フロントエンド５２、音声検波部５３、映像検波部５４、マイクロコンピュータ５５（以下マイコンと呼ぶ）、メモリ５６を有しており、放送の受信及び受信信号の復調、そして正常な出力が可能な放送局に対してオートプリセットを行なう。尚、ここで言う「正常な出力」とは、映像と音声が利用者に理解し得る形態で出力されることを表わす。また、現在位置を取得するための現在位置検出装置５７と、放送を出力するためのスピーカ５８及び表示装置５９は、周知のナビゲーション装置等で既に車載されているものを併用する。
【００２０】
フロントエンド５２は何れも周知の高周波増幅器、局部発振器、混合器等から構成され、テレビの放送波から中間周波数信号を再生し、音声検波部５３及び映像検波部５４へ出力する。音声検波部５３は、何れも周知の検波回路と増幅回路から構成され、中間周波数信号から音声信号を再生し、スピーカ５８へと出力すると共に、音声搬送波の有無をマイコン５５へ出力する。
【００２１】
また、フロントエンド５２からの中間周波数信号が入力される映像検波部５４は、何れも周知の検波回路と増幅回路から構成され、入力された中間周波数信号から映像信号（コンポジット信号）を再生し、表示装置５９へ出力する。そして、マイコン５５はＣＰＵ、ＲＯＭ、ＲＡＭ，及び入出力インターフェースを備えた制御装置であり、フロントエンド５２の局部発振器が発振する周波数の制御や音声検波部５３からの音声搬送波の有無の入力信号を受け、該当する放送局の周波数情報をプリセットするか否かを判断する。
【００２２】
メモリ５６は周知の不揮発性記憶媒体であり、プリセットした放送局の周波数情報やプリセットが回避されるべき放送局の情報等を記憶する。本実施形態におけるメモリ５６（本発明における記憶手段に相当する。）は、プリセットが回避されるべき放送局（デジタル放送局）の情報、即ち本発明における放送局情報として、図４にあるような放送局を特定するためのチャンネル６０、放送範囲を決定するための出力６１、放送局の位置を決定する緯度６２、経度６３をテンプレートとして記憶している。
【００２３】
現在位置検出装置５７は、何れも周知の地磁気センサ、ジャイロスコープ、距離センサ、及びＧＰＳ（Ｇｌｏｂａｌ  Ｐｏｓｉｔｉｏｎｉｎｇ  Ｓｙｓｔｅｍ）受信機等を有して構成され、各々補間しながら現在位置情報をマイコン５５へ出力する。そして、スピーカ５８及び表示装置５９はアナログＴＶ受信装置５０からの出力を受け、映像を表示したり、音声を出力する。ここで、表示装置５９としては、ＴＦＴ液晶ディスプレイが主に使用されるが、ＣＴＲディスプレイや有機ＥＬディスプレイ等を用いてもよい。
【００２４】
上記構成において、アナログＴＶ受信装置５０では、オートプリセットが指示された際に、図５に示すオートプリセット処理がマイコン５５で開始される。
【００２５】
図５において、まずステップ（以下Ｓと略す）１０１で、マイコン５５が現在位置検出装置５７から現在位置情報を取得する。現在位置情報を受けて、Ｓ１０２ではメモリ５６に格納されているデジタル放送局の情報より、現在位置で放送が受信可能なデジタル放送局のチャンネル（本発明における周波数情報に相当する。）を推定する。即ち、推定されたデジタル放送局のチャンネルでは現在位置にてＳ１０２（本発明における判定手段に相当する。）により、正常な出力が行なえないと判定される。尚、推定方法としては、テンプレートの緯度６２及び経度６３より、放送送信所の場所を限定し、出力６１から放送エリアを特定する。
そして、位置検出装置５７より取得した現在位置情報及び放送エリアより、受信可能か否かを判断し、受信可能なデジタル放送局を推定する。
【００２６】
その後、Ｓ１０３にて、マイコン５５は局部発振器がデジタル放送局のチャンネルを除いた周波数を発振するよう制御し、音声検波部５３からの入力を待つ。
そして、アナログＴＶ受信装置５０は指定されたチャンネルの放送局の選局処理を行なう。尚、Ｓ１０３での選局処理にて、Ｓ１０２により正常な出力が行なえないと判定されたデジタル放送局の周波数は、選局されないため、プリセットは行われない（無効となる）ものとなる。
【００２７】
Ｓ１０３で行われるアナログＴＶ受信装置５０の選局処理は、まず、アンテナ５１で受信された放送波をフロントエンド５２の高周波増幅回路にて増幅した後、局部発振器によって発振される局部発振信号と混合器で混合し、マイコン５５によって指定されたチャンネルの放送局が発信する放送波における中間周波数信号を生成する。この局部発振信号とは、テレビの放送波から特定のチャンネルの中間周波数信号を得るために必要とされる信号である。例えば、中間周波数が５８．７５ＭＨｚであった場合、９１．２５ＭＨｚ（１ＣＨ）の放送を受信したい時に、局部発振信号は１５０ＭＨｚ（放送局周波数＋中間周波数）を発振する。
そして、生成された中間周波数信号とは、どのチャンネルを選局しても同じ周波数となるよう変換された信号であり、音声検波部５３及び映像検波部５４へと出力される。
【００２８】
次に、中間周波数信号が音声検波部５３に入力されると、音声検波部５３は、音声搬送波と映像搬送波の間にある４．５ＭＨｚの間隔を利用して、音声用の中間周波数信号（Ｓｏｕｎｄ  Ｉｎｔｅｒｍｅｄｉａｔｅ  Ｆｒｅｑｕｅｎｃｙ：以下ＳＩＦと呼ぶ）を抽出する。そして、検波回路でＳＩＦから搬送波を取り除き、音声信号を再生する。この音声搬送波信号のレベル（本発明における受信情報に相当する。）を判定することによって、音声搬送波の有無をマイコン５５へ出力する。また、放送を出力する際には、音声信号を増幅回路で増幅した後、スピーカ５８へ出力する。
【００２９】
Ｓ１０３での選局処理後、音声検波部５３より音声搬送波の有無がマイコン５５に出力されると、Ｓ１０４へ移行し、マイコン５５は音声搬送波の有無判定より、放送局の有無を判定する。
【００３０】
音声搬送波が検出されず、放送局無しと判定された場合は（Ｓ１０４：放送局無）、Ｓ１０５へ移行する。一方、音声放送波がされ、放送局有りと判定された場合（Ｓ１０４：放送局有）、メモリ５６に受信している放送局の周波数情報をプリセットスイッチと対応して格納した後、Ｓ１０５へ移行する。
【００３１】
Ｓ１０５ではデジタル放送局のチャンネルを除いた全てのチャンネルの探索が終了したか否かを判定する。まだ探索が終了していないと判定された場合（Ｓ１０５：Ｎｏ）、局部発振器に発振させるチャンネルを次のチャンネルに設定して（Ｓ１０８）、Ｓ１０３に戻り、全ての探索が終了するまで上記の処理を繰り返す。そして、探索が終了したと判定された場合（Ｓ１０５：Ｙｅｓ）、プリセットされたチャンネルを結果として通知し（Ｓ１０６）、オートプリセット処理を終了する。
【００３２】
尚、本実施形態では、アナログＴＶ受信装置５０が受信装置に、デジタル放送局が正常な出力が行なえない放送局に、メモリ５６が記憶手段に、現在位置検出装置５７が位置検出手段に相当する。また、マイコン５５は、プリセット手段及び無効手段に相当する機能を有する。そして、Ｓ１０２は判断手段に、Ｓ１０７はプリセット手段に、Ｓ１０３は選局手段に相当する処理を行なう。
【００３３】
以上、説明した第一実施形態によれば、アナログＴＶ受信装置５０にて正常な出力が行なえないとされるデジタル放送局を除いたオートプリセット処理を行なう。つまり、正常な出力が行なえる放送局を自動で選局し、オートプリセットする。また、選局をする際に、予め現在位置で受信されうるデジタル放送局のチャンネルを探索するチャンネルから除くことにより、効率よくオートプリセットを行なうことが可能である。つまり、デジタル放送局のチャンネルについて、放送局の有無を判定しないため、オートプリセットの所要時間短縮にも繋がる。
【００３４】
尚、オートプリセットの開始指示は利用者からの入力のみに限らず、放送の出力が行われていない場合は、前回のオートプリセットからの経過時間や走行距離等に応じて、自動でオートプリセットを開始してもよい。また、出力している放送の受信が困難になった際に、自動でオートプリセットを開始してもよい。
【００３５】
（第二実施形態）
上記した第一実施形態では、アナログＴＶ受信装置５０が有するメモリ５６内に格納されたプリセットを回避すべき放送局の情報（テンプレート）を使用し、オートプリセット処理が行われた。一方、デジタルテレビ放送の受信装置も搭載している場合、アナログＴＶ受信装置５０のメモリ５６にプリセットを回避すべき放送局情報を必ずしも格納していなくても、アナログＴＶ受信装置５０における誤プリセットを回避することが可能である。そこで、本実施形態では、デジタルテレビ放送の受信装置によるオートプリセットの結果を基に、アナログＴＶ受信装置５０での誤プリセットを回避する。
【００３６】
以下、本実施形態について上記第一実施形態と異なる部分を中心に詳しく説明する。
【００３７】
本実施形態では、図６に示すよう、アナログＴＶ受信装置５０とデジタルＴＶ受信装置７０を用いる。アナログＴＶ受信装置５０は、上記第一実施形態と同様に構成され、スピーカ５８及び表示装置５９は、デジタルＴＶ受信装置７０の出力も可能に構成される。
【００３８】
デジタルＴＶ受信装置７０はアンテナ７１、フロントエンド７２、ＯＦＤＭ復調部７３、ＭＰＥＧデコーダ７４、マイクロコンピュータ７５（以下略してマイコンと呼ぶ）、メモリ７６を有しており、デジタルテレビ放送の受信及び受信信号の復調、そしてデジタル放送局に対してオートプリセットを行なう。
【００３９】
フロントエンド７２はアナログＴＶ受信装置５０と略同様に構成され、アンテナ７１からの放送波より中間周波数信号を再生し、ＯＦＤＭ復調部７３へ出力する。ＯＦＤＭ復調部７３は、何れも周知の変調、高速フーリエ変換（ＦＦＴ）、デマッピング等を行なうことにより、中間周波数信号からＭＰＥＧ２−ＴＳ信号を生成する。また、同時にマイコン７５へ受信レベル及びビットエラー率等の情報を出力する。ＭＰＥＧ２−ＴＳ信号が入力されるＭＰＥＧデコーダ７４はＭＰＥＧ２−ＴＳ方式で圧縮された信号を解凍するソフトウエア及びハアードウエアにより構成され、映像信号と音声信号を再生し、それぞれを表示装置５９とスピーカ５８に出力する。
【００４０】
マイコン７５は、アナログＴＶ受信装置５０のマイコン５５と同様に構成された制御装置であり、ＯＦＤＭ復調部７３からの受信レベル及びビットエラー率等を基に、該当する放送局の周波数情報をプリセットするか否かを判断する。そして、プリセットした放送局の周波数情報をアナログＴＶ受信装置５０のマイコン５５へ出力する。メモリ７６はアナログＴＶ受信装置５０のメモリ５６と同様に不揮発性の記憶媒体より構成され、プリセットした放送局の周波数情報等が格納される。
【００４１】
また、アナログＴＶ受信装置５０のマイコン５５とデジタルＴＶ受信装置７０のマイコン７５は相互通信が可能となるよう構成されており、アナログＴＶ受信装置５０でオートプリセットが指示された際には、図７に示すオートプリセット処理がマイコン５５で開始される。
【００４２】
まず、図７において、Ｓ２０１でマイコン５５がデジタルＴＶ受信装置７０のマイコン７５へオートプリセットの指示を送る（Ａ）。オートプリセットの指示を受けたデジタルＴＶ受信装置７０はマイコン７５で局部発振器へデジタル放送局の周波数を発振するよう制御し、指定されたチャンネルの放送局において選局処理を行なう（図８：Ｓ３０１）。
【００４３】
図８のＳ３０１で行われるデジタルＴＶ受信装置７０の選局処理は、まず、アンテナ７１で受信された放送波をフロントエンド７２の高周波増幅回路にて増幅した後、混合器で局部発振器によって発振される局部発振信号と混合し、マイコン７５によって指定されたチャンネルの放送局が発信する放送波における中間周波数信号を生成する。
【００４４】
次に、中間周波数信号がＯＦＤＭ復調部７３に入力される。アナログ信号であるＯＦＤＭ信号はアナログデジタル変換により、デジタル信号である離散信号へ変換される。離散信号は、直交検波された後、ＦＦＴを行なうことにより、複素データシンボルが復調される。復調された複素データシンボルは、周波数インターリーブ、時間インターリーブ、変調分割，デマッピング、・・・、ビタビ復号、ＲＳ復号等を行うことにより、元のデータであるＭＰＥＧ２―ＴＳ信号に変換される。
【００４５】
ＯＦＤＭ復調部７３で復調されたＭＰＥＧ２−ＴＳ信号はＭＰＥＧデコーダ７４に出力され、復調の際に得られた受信レベル及びビットエラー率はマイコン７５に出力される。尚、ＭＰＥＧデコーダ７４は周知のデコーダであり、ＭＰＥＧ２−ＴＳ信号をデコードして映像信号と音声信号をそれぞれ表示装置５９及びスピーカ５８に出力することによって放送の出力が可能となる。
【００４６】
Ｓ３０１での選局後、ＯＦＤＭ復調部７３より受信レベル及びビットエラー率がマイコン７５に出力されると、Ｓ３０２へ移行し、マイコン７５は受信レベルやビットエラー率を基に放送局の有無を判定する。デジタル放送局が無いと判定された場合は（Ｓ３０２：放送局無）、Ｓ３０３へ移行する。一方、デジタル放送局があると判定された場合は（Ｓ３０２：放送局有）、該当する放送局の周波数情報をプリセットスイッチと対応してメモリ７６へ格納し（Ｓ３０５）、Ｓ３０３へ移行する。
【００４７】
Ｓ３０３では全てのチャンネルの探索が終了したか否かを判定する。まだ探索が終了していないと判定された場合（Ｓ３０３：Ｎｏ）、チャンネルを次のチャンネルに設定して（Ｓ３０６）、Ｓ３０１に戻り、全ての探索が終了するまで上記の処理を繰り返す。そして、探索が終了したと判定された場合（Ｓ３０３：Ｙｅｓ）、アナログＴＶ受信装置５０のマイコン５５へメモリ７６に格納した放送局の周波数情報を送信する（Ｓ３０４）。
【００４８】
一方、アナログＴＶ受信装置５０では、図７のＳ２０１でデジタルＴＶ受信装置７０へオートプリセットの指示を出力した後、Ｓ２０２へ移行し、デジタルＴＶ受信装置７０での処理と平行して、選局処理を開始する。
【００４９】
Ｓ２０２では第一実施形態と同様に、アンテナ５１で受信される放送波からマイコン５５が指示するチャンネルの放送局が発信する放送波における中間周波数信号をフロントエンド５２で生成する。そして、音声検波部５３にて音声搬送波信号のレベルを判定し、音声搬送波の有無がマイコン５５へ出力される。
【００５０】
音声検波部５３からの音声搬送波の有無がマイコン５５に出力されると、Ｓ２０３へ移行して、マイコン５５は放送局の有無を判定する。
【００５１】
放送局無しと判定された場合は（Ｓ２０３：放送局無）、Ｓ２０４へ移行する。一方、放送局有りと判定された場合（Ｓ２０３：放送局有）、メモリ５６に受信している放送局の周波数情報をプリセットスイッチと対応して格納した後（Ｓ２０６）、Ｓ２０４へ移行する。
【００５２】
Ｓ２０４では全てのチャンネル（周波数）の探索が終了したか否かを判定する。まだ探索が終了していないと判定された場合（Ｓ２０４：Ｎｏ）、チャンネルを次のチャンネルに設定して（Ｓ２０７）、Ｓ２０２に戻り、全ての探索が終了するまで上記の処理を繰り返す。そして、探索が終了したと判定された場合（Ｓ２０４：Ｙｅｓ）、Ｓ２０５へ移行する。
【００５３】
Ｓ２０５では、デジタルＴＶ受信装置７０より受信したデジタル放送局の周波数情報を基に、プリセットされた放送局の周波数情報からデジタル放送局の周波数情報を削除し、オートプリセット処理を終了する。
【００５４】
尚、本実施形態では、アナログＴＶ受信装置５０が受信装置に、デジタルＴＶ受信装置７０が第二受信装置に、デジタル放送局が正常な出力が行なえない放送局に相当する。また、マイコン５５は、プリセット手段及び無効手段に相当する機能を有し、Ｓ２０６はプリセット手段に、Ｓ２０５は無効手段に相当する処理を行なう。
【００５５】
以上、説明した第二実施形態によれば、デジタルＴＶ受信装置７０でデジタル放送局の周波数情報を取得し、アナログＴＶ受信装置５０でそのデジタル放送局を除いたオートプリセットを行なうことにより、誤プリセットを回避することが可能となる。そして、デジタルＴＶ受信装置７０でのデジタル放送局のオートプリセットとアナログＴＶ受信装置５０でのアナログ放送局のオートプリセットを同時に行なうことができるため、効率よく誤プリセットを回避したオートプリセットが可能となった。
【００５６】
第二実施形態では、デジタル放送局の周波数情報が削除された後、放送局が設定されていないプリセットスイッチがある場合は、その後にプリセットされているアナログ放送局の周波数情報を繰り上げて再設定してもよい。例えば、３番目のプリセットスイッチに設定されたデジタル放送局の周波数情報が削除された場合、４番目のプリセットスイッチに設定された放送局の周波数情報を３番目のプリセットスイッチに再設定する。
【００５７】
また、アナログＴＶ受信装置５０でのオートプリセット処理の最後（Ｓ２０５）にデジタル放送局の周波数情報をメモリ５６から削除したが、アナログＴＶ受信装置５０での選局（Ｓ２０２）前に、デジタルＴＶ受信装置７０からのデジタル放送局の周波数情報を取得し、予め掃引するチャンネルからデジタル放送局のチャンネルを除いて、選局（Ｓ２０２）を行なうようにしてもよい。
【００５８】
更に、デジタルＴＶ受信装置７０でもスイッチ等の入力手段によってオートプリセットの指示を可能とでき、その際には、図８に示すＳ３０４を除いたオートプリセット処理がマイコン７５で開始される。
【００５９】
以上、本発明は上記した実施形態に何等限定されるものではなく、本発明の主旨を逸脱しない範囲において種々なる形態で実施し得る。
【００６０】
例えば、本発明は、アナログＴＶ受信装置又はデジタルＴＶ受信装置に限定されるものではなく、受信装置の受信可能な周波数帯に正常出力が可能な電波と正常出力が不可能な電波が混在している場合であれば、適応可能であり、正常出力が不可能な電波を受信装置でオートプリセットしないようにすることが可能である。
【００６１】
また、上記実施の形態では何れもアナログ放送局とデジタル放送局が別々の場所から発信された放送局であったが、アナログ放送及びデジタル放送を同一の場所から発信することが可能な放送局に対しても同様に、正常な出力が可能な放送局においてのみオートプリセットするようにできる。
【図面の簡単な説明】
【図１】アナログ放送及びデジタル放送の放送波形を示す図である。（ａ）アナログ放送波形、（ｂ）デジタル放送波形
【図２】アナログ放送及びデジタル放送の放送エリア例を示す図である。
【図３】本発明における一実施の形態であるアナログテレビ放送の受信装置の構成図を示す図である。
【図４】デジタル放送局の情報の一覧図である。
【図５】第一実施形態における、マイコンのオートプリセットのフローチャートである。
【図６】第二実施形態における、アナログテレビ放送の受信装置及びデジタルテレビ放送の受信装置の構成図である。
【図７】第二実施形態における、アナログＴＶ受信装置のマイコンによるオートプリセットのフローチャートである。
【図８】第二実施形態における、デジタルＴＶ受信装置のマイコンによるオートプリセットのフローチャートである。
【符号の説明】
１・・・ＮＴＳＣ方式アナログ放送波形
１１・・・映像搬送波信号
１２・・・色副搬送波信号
１３・・・音声搬送波信号
２・・・デジタル放送波形
３１・・・アナログ放送局
３２・・・アナログ放送受信エリア
４１・・・デジタル放送局
４２・・・デジタル放送受信エリア
４３・・・両放送受信エリア
【図１】
2004312563.tif 000003
【図２】
2004312563.tif 000004
【図３】
2004312563.tif 000005
【図４】
2004312563.tif 000006
【図５】
2004312563.tif 000007
【図６】
2004312563.tif 000008
【図７】
2004312563.tif 000009
【図８】
2004312563.tif 000010